(57)【要約】      （修正有）【課題】太陽光パネルを用いて植物の栽培空間を作り出し、その栽培空間内での植物栽培に利用する設備に対してその太陽光パネルによる発電電力を利用することのできる栽培ハウスを提供する。【解決手段】複数の太陽光パネル２により発電された電力は、給電装置によって、給気ファン１０ａ、排気ファン１１ａ、温度設定器、温度センサ、制御装置、照明装置１５などの植物栽培に利用する設備に供給される。よって、給気ファン１０ａおよび排気ファン１１ａを稼働して温度調節をすることもでき、照明装置１５を点灯して栽培容器１６に収容された植物Ｐ１に照射することで植物Ｐ１の促成栽培を行える。また、太陽光パネル２の発電量が少なく電力不足のときは、日中でも二次電池に蓄電された電力を用いて給気ファン１０ａ、排気ファン１１ａ及び照明装置１５を稼働できる。【選択図】図４
2020096565.tif 000002
【特許請求の範囲】
【請求項１】
所定方向に傾斜した片流れ屋根状に並べられる複数の太陽光パネルと、その複数の太陽光パネルの隣り合うもの同士の間にある間隙を塞ぐ閉塞部材とを有した屋根体と、
その屋根体を設置地面から所定高さ上方に支持するフレーム体と、
そのフレーム体の内側であって前記屋根体と設置地面との間に設けられる栽培空間と、
その栽培空間に連通して前記フレーム体に設けられる開口部と、
その開口部を塞いで前記屋根体及び設置地面とともに前記栽培空間を包囲するものであって太陽光を前記開口部から前記栽培空間内へ採光可能な透光性を有する外壁体と、
その栽培空間内での植物栽培に利用する設備に対して前記太陽光パネルによる発電電力を供給する給電装置とを備えていることを特徴とする栽培ハウス。
【発明の詳細な説明】
【技術分野】
【０００１】
本発明は、植物の栽培を行う栽培ハウスに関するものである。
【背景技術】
【０００２】
従来、植物を促成栽培するための設備としてビニルハウスなどの栽培ハウスがあった。このような栽培ハウスでは、暖房設備や換気設備を備えており、これらが化石燃料や電気で稼働されており、発電所や変電所などの電力供給施設からの送電が必要となるため、送電線による送電を受けなければならなかった。
【先行技術文献】
【特許文献】
【０００３】
【特許文献１】特開２０１３-２１９２４号公報
【発明の概要】
【発明が解決しようとする課題】
【０００４】
しかしながら、栽培ハウスでの植物栽培は、必ずしも既存の送電線がある地域のみで行われるものではなく、例えば、送電線が未設の場所でも当然に行うことができるものであるが、このような場所では、電力供給施設からの給電を受けることができないため、栽培ハウスでの植物栽培に電力を使用した設備を利用することができず、栽培ハウスを用いたより効率的な植物栽培を行えないという問題点があった。
【０００５】
そこで、本発明は、かかる問題点を解決するためになされたものであり、太陽光パネルを用いて植物の栽培空間を作り出し、その栽培空間内での植物栽培に利用する設備に対してその太陽光パネルによる発電電力を利用することのできる栽培ハウスを提供することを目的としている。
【課題を解決するための手段】
【０００６】
この目的を達成するために本発明の栽培ハウスは、所定方向に傾斜した片流れ屋根状に並べられる複数の太陽光パネルと、その複数の太陽光パネルの隣り合うもの同士の間にある間隙を塞ぐ閉塞部材とを有した屋根体と、その屋根体を設置地面から所定高さ上方に支持するフレーム体と、そのフレーム体の内側であって前記屋根体と設置地面との間に設けられる栽培空間と、その栽培空間に連通して前記フレーム体に設けられる開口部と、その開口部を塞いで前記屋根体及び設置地面とともに前記栽培空間を包囲するものであって太陽光を前記開口部から前記栽培空間内へ採光可能な透光性を有する外壁体と、その栽培空間内での植物栽培に利用する設備に対して前記太陽光パネルによる発電電力を供給する給電装置とを備えている。
【発明の効果】
【０００７】
本発明の栽培ハウスによれば、屋根体となる複数の太陽光パネルが発電を行い、この発電電力が給電装置によって栽培空間内での植物栽培に利用される設備に供給され、この給電装置の電力供給（給電）により当該設備を稼働させることができる。このため、栽培空間内での植物栽培に利用する設備の稼働に必要な電力をを自給でき、別途、他の発電所などからの供給を受ける必要がない。
【０００８】
したがって、本発明の栽培ハウスによれば、例えば、送電線がなく電力供給が困難な場所でも電力供給が必要な設備を利用しながら植物栽培を行えるという効果がある。また、農作地域に設置した場合には、この栽培ハウスを用いて農作物の生産事業を行いつつ、発電した電力を販売することができ、当該地域での経済的な生活環境の改善を図ることができるという効果がある。
【図面の簡単な説明】
【０００９】
【図１】（ａ）は、本発明の実施形態である栽培ハウスの正面図であり、（ｂ）は、栽培ハウスの正面図であって外壁体を取り外した状態を示したものである。
【図２】（ａ）は、栽培ハウスを部分的に図示した左側面図であり、（ｂ）は、栽培ハウスを部分的に図示した左側面図であって外壁体を取り外した状態を示したものである。
【図３】（ａ）は、栽培ハウスを部分的に図示した右側面図であり、（ｂ）は、栽培ハウスを部分的に図示した右側面図であって外壁体を取り外した状態を示したものである。
【図４】（ａ）は、栽培ハウス１の内部状態を示した断面図であって図２のＩＶ−ＩＶ線における縦断面図であり、（ｂ）は、図１のＩＶｂ部分の拡大図であり、（ｃ）は、図２のＩＶｃ部分の拡大図で有り、（ｄ）は、（ａ）のＩＶｄ部分の拡大図で有り、（ｅ）は、（ａ）のＩＶｅ部分の拡大図である。
【図５】栽培ハウスの電気的構成を示したブロック図である。
【発明を実施するための形態】
【００１０】
以下、本発明の好ましい実施形態について、添付図面を参照して説明する。図１（ａ）は、本発明の実施形態である栽培ハウス１の正面図であり、図１（ｂ）は、栽培ハウス１の正面図であって外壁体８を取り外した状態を示したものである。図２（ａ）は、栽培ハウス１を部分的に図示した左側面図であり、図２（ｂ）は、栽培ハウス１を部分的に図示した左側面図であって外壁体８を取り外した状態を示したものである。
【００１１】
図３（ａ）は、栽培ハウス１を部分的に図示した右側面図であり、図３（ｂ）は、栽培ハウス１を部分的に図示した右側面図であって外壁体８を取り外した状態を示したものである。図４（ａ）は、栽培ハウス１の内部状態を示した断面図であって図２のＩＶ−ＩＶ線における縦断面図であり、図４（ｂ）は、図１のＩＶｂ部分の拡大図であり、図４（ｃ）は、図２のＩＶｃ部分の拡大図で有り、図４（ｄ）は、図４（ａ）のＩＶｄ部分の拡大図で有り、図４（ｅ）は、図４（ａ）のＩＶｅ部分の拡大図である。図５は、栽培ハウス１の電気的構成を示したブロック図である。
【００１２】
なお、栽培ハウス１の背面図はその正面図と左右対称に表われ、図２（ａ）及び図２（ｂ）に図示を省略した部分は同図に図示した部分と左右対称に表われ、図３（ａ）及び図２（ｂ）に図示を省略した部分は同図に図示した部分と左右対称に表われる。
【００１３】
図１から図５に示すように、栽培ハウス１は、所定方向に傾斜した片流れ屋根状に並べられる複数の太陽光パネル２と、その複数の太陽光パネル２の隣り合うもの同士の間にある間隙を塞ぐ閉鎖部材３とを有した屋根体４と、その屋根体４を設置地面Ｇから所定高さ上方に支持するフレーム体５と、そのフレーム体５の内側であって屋根体４と設置地面Ｇとの間に設けられる栽培空間６と、その栽培空間６に連通してフレーム体５に設けられる開口部７と、その開口部７を塞いで屋根体４及び設置地面Ｇとともに栽培空間６を包囲するものであって太陽光を開口部７から栽培空間６内へ採光可能な透光性を有する外壁体８と、その栽培空間６内での植物栽培に利用する設備に対して太陽光パネル２による発電電力を供給する給電装置９とを備えている。
【００１４】
ここで、太陽光パネル２は、太陽光を受光面で受けて発電するデバイスである。なお、複数の太陽光パネルは、例えば、水平面に対して約２２°で傾斜している。
【００１５】
この栽培ハウス１によれば、複数の太陽光パネル２は、その受光面２ａが太陽光を適切に受光するように同一の方角の上空へ向けられ、全体として所定方向に傾斜した片流れ屋根状に並べられて屋根体４となっている。屋根体４はフレーム体５によって設置地面Ｇから所定高さ上方に支持され、この屋根体４と設置地面Ｇとの間であってフレーム体５の内側に栽培空間６が設けられる。複数の太陽光パネル２のうち隣り合うもの同士間にある間隙は閉鎖部材３により塞がれており、かかる間隙から栽培空間６内に雨水や融雪水などの水が流れ落ちることを防止できる。
【００１６】
フレーム体５には栽培空間６内に採光するための開口部７が形成してあり、この開口部７は外壁体８によって塞がれているが、外壁体８は透光性を有するので、フレーム体５の開口部７から外壁体８を介して太陽光（外光）を栽培空間６内へ採光できる。よって、この採光を用いて屋根体４により遮光された状態でも栽培空間６内では植物Ｐ１，Ｐ２の栽培を行える。
【００１７】
この栽培空間６内での植物栽培に利用する設備には、給電装置９によって複数の太陽光パネル２により発電された電力が供給される。ここで、給電装置９からの給電を受けて植物栽培に利用する設備には、例えば、後述する給気ファン１０ａ、排気ファン１１ａ、温度設定器１２、温度センサ１３、制御装置１４、照明装置１５その他の設備が含まれている。
【００１８】
また、栽培空間６は屋根体４、外壁体８及び設置地面Ｇにより包囲されているので、冷えた外気が栽培空間６内に流入することを防止でき、気温低下や風雨などの悪天候による植物栽培の生育不良を抑制できる。また、栽培ハウス１は、給電装置９からの給電により駆動され、空気を強制的に外から栽培空間６内へ給気する給気ファン１０ａを有する給気装置１０と、給電装置９からの給電により駆動され、空気を強制的に栽培空間６内から外へ排気する排気ファン１１ａを有する排気装置１１とを備えている。
【００１９】
なお、給気ファン１０ａ及び排気ファン１１ａには送風状態で空気が通過する送風口がそれぞれあるが、これらの送風口からの栽培空間６内への害虫等の侵入を防止するため、これら給気ファン１０ａ及び排気ファン１１ａの送風口全体は防虫用ネットで覆われていることが好ましく、また、給気ファン１０ａ及び排気ファン１１ａは、省電力で駆動可能なＰＣ冷却用の薄型軸流型の送風ファンであることがより好ましい。
【００２０】
この栽培ハウス１によれば、給気ファン１０ａ及び排気ファン１１ａは、複数の太陽光パネル２により発電された電力が給電装置９により供給されることで駆動される。給気ファン１０ａによって外の空気(外気)が栽培空間６内へ強制的に給気でき、排気ファン１１ａによって栽培空間６内の空気を外へ強制的に排気できる。この給気ファン１０ａ及び排気ファン１１ａの駆動によって栽培空間６内に気流を作り出し。この気流によって、栽培空間６内の温度上昇を低減又は抑制し、或いは、温度低下を促すことができる。
【００２１】
また、栽培ハウス１は、給気ファン１０ａが栽培空間６の下部であって設置地面Ｇ側に空気を外から強制的に給気するものであり、排気ファン１１ａが栽培空間６の上部であって屋根体４の裏側にある空気を外へ強制的に排出するものであり、栽培空間６内の設置地面Ｇが土で形成されている。
【００２２】
この栽培ハウス１によれば、給気ファン１０ａが栽培空間６内の下部における設置地面Ｇ側へ給気する一方、排気ファン１１ａが栽培空間６内の上部における屋根体４裏側から排気する。この給排気によって栽培空間６内には、その下部の設置地面Ｇ側からその上部の屋根体４裏側へ向かう気流が生じ、この気流によって、栽培空間６内の風通しが良くなってその温度上昇が抑制される。しかも、屋根体４裏側近傍からの排気は、栽培空間６内の上部における屋根体４裏側に溜まった高温の空気を栽培空間６の外へ排出でき、太陽光パネル２を裏側から空冷することもできる。そのうえ、設置地面Ｇ側近傍での給気は、取り込んだ空気を冷えた土の設置地面Ｇ付近を通過させることで更に冷やすことができ、給排気による冷却効果を更に高めることができる。
【００２３】
また、栽培ハウス１は、給気ファン１０ａが栽培空間６の下部における横断方向一側に、排気ファン１１ａが栽培空間６の上部における横断方向他側に、それぞれ設けられている。
【００２４】
よって、栽培ハウス１によれば、給気ファン１０ａから排気ファン１１ａへ向けた気流は、栽培空間６の横断方向一側の下部から横断方向他側の上部へと栽培空間６内を横断して上昇するように流れて換気を行う。このため、栽培空間６をその横断方向にムラなく換気し易くなり、栽培空間６内の気温ムラを低減でき、栽培空間６全体の温度管理をより正確に行うことができる。
【００２５】
また、栽培ハウス１は、複数の給気ファン１０ａを有する給気装置１０と、複数の排気ファン１１ａを有する排気装置１１と、栽培空間６内の気温を設定する温度設定器１２と、栽培空間６内の気温を検出する温度センサ１３と、その温度センサ１３による検出気温Ｔｓが温度設定器１２による設定気温Ｔｒに比べて高い場合であってその温度差ΔＴ（＝Ｔｓ−Ｔｒ）が所定値（例えば、以下のΔＴ１又はΔＴ２）以上である場合に給気ファン１０ａ及び排気ファン１１ａを駆動する制御装置１４とを備えており、その制御装置１４は、温度差ΔＴが第１温度差ΔＴ１以上でかつそれより差が大きな第２温度差ΔＴ２（＞ΔＴ１）以下である場合に複数の給気ファン１０ａの一部及び複数の排気ファン１１ａの一部（例えば２個）を駆動する一方、温度差ΔＴが第２温度差ΔＴ２を超える場合に給気ファン１０ａ及び排気ファン１１ａの全てを駆動するものである。
【００２６】
例えば、上記した複数の給気ファン１０ａ及び複数の排気ファン１１ａの一部とは、給気ファン１０ａ及び排気ファン１１ａの全体数の２／３の割合としても良く、その他の割合を用いても良い。
【００２７】
この栽培ハウス１によれば、制御装置１４は、温度センサ１３による検出気温Ｔｓが温度設定器１２による設定気温Ｔｒより高くて、その温度差ΔＴが第１温度差ΔＴ１以上でかつそれより差が大きな第２温度差ΔＴ２以下である場合（Ｔｓ＞ＴｒΔＴ１≦ΔＴ≦ΔＴ２）は、複数の給気ファン１０ａの一部（低風量及び中風量のもの）及び複数の排気ファン１１ａの一部（低風量及び中風量のもの）を駆動する。その一方で、制御装置１４は、温度センサ１３による検出気温Ｔｓが温度設定器１２による設定気温Ｔｒより高くて、温度センサ１３による検出気温Ｔｓと温度設定器１２による設定気温Ｔｒとの温度差ΔＴが第２温度差ΔＴ２を超える場合（Ｔｓ＞Ｔｒ，ΔＴ２＜ΔＴ）は、給気ファン１０ａ及び排気ファン１１ａの全てを駆動する。
【００２８】
なお、制御装置１４は、演算装置であるＣＰＵ１４ａとメモリ１４ｂとを備えており、ＣＰＵ１４ａは、上記した検出気温Ｔｓと設定気温Ｔｒとから温度差ΔＴを演算し、また、温度差ΔＴと第１温度差ΔＴ１及び第２温度差ΔＴ２との比較を行い、その比較結果に基づいて、給気ファン１０ａ及び排気ファン１１ａの駆動指令信号を出力し、メモリ１４ｂは、上記した第１温度差ΔＴ１の値と第２温度差ΔＴ２の値とを記憶している。
【００２９】
つまり、栽培空間６内の検出気温Ｔｓが設定気温Ｔｒに比べて高いが温度差ΔＴが比較的小さい場合は、少数の給気ファン１０ａ及び排気ファン１１ａを駆動することで、電力消費を抑制しつつ栽培空間６内を換気して気温上昇を抑制できる一方で、栽培空間６内の検出気温Ｔｓが設定気温Ｔｒに比べて高くかつ温度差ΔＴが比較的大きい場合は、植物Ｐ１，Ｐ２の生育に大きな支障を来すおそれがあることから、全ての給気ファン１０ａ（低風量、中風量及び高風量の全てのもの）及び排気ファン１１ａ（低風量、中風量及び高風量の全てのもの）を駆動して、栽培空間６内を急速に換気して気温上昇を抑制できる。
【００３０】
なお、例えば、温度差ΔＴが拡大するに従って、まず低風量の給気ファン１０ａ及び排気ファン１１ａのみ、次に中風量の給気ファン１０ａ及び排気ファン１１ａのみ、次に大風量の給気ファン１０ａ及び排気ファン１１ａのみ、次に低風量及び中風量の給気ファン１０ａ及び排気ファン１１ａのみ、最後に低風量、中風量及び高風量の給気ファン１０ａ及び排気ファン１１ａの全て、という順に段階的に風量を変更するようにしても良い。
【００３１】
また、栽培ハウス１は、複数の給気ファン１０ａ及び複数の排気ファン１１ａのうち、第２温度差ΔＴ２以上で駆動される給気ファン１０ａ及び排気ファン１１ａは、その残りの給気ファン１０ａ及び排気ファン１１ａに比べて大きな風量（高風量）のものである。
【００３２】
この栽培ハウス１によれば、温度センサ１３による検出気温Ｔｓが温度設定器１２による設定気温Ｔｒに比べて高くてその温度差ΔＴがより大きな第２温度差ΔＴ２を超えるような高温状態の場合、高風量の給気ファン１０ａ及び排気ファン１１ａを駆動することができ、栽培空間６内の気流の流速を高めてより短時間で換気を行うことができ、植物Ｐ１，Ｐ２の生育状態の悪化を短時間で回避できる。また、温度差ΔＴが第２温度差ΔＴ２未満であって第１温度差ΔＴ１以上である場合は、高風量の給気ファン１０ａ及び排気ファン１１ａは駆動停止するので、省電力かつ低流速での換気を行える。
【００３３】
また、栽培ハウス１は、太陽光パネル２及び閉鎖部材３が遮光性を備えている。
【００３４】
なお、屋根体４は栽培空間６内を日陰にして太陽光などの外光の入射を遮るが、外壁体８が透光性を有することから、例えば、暗所で栽培することに適した榊などの植物（以下「暗所栽培植物」という。）Ｐ２を栽培する場合、栽培空間６は、外壁体８を通じて外光が入射することを踏まえて、全体として遮光率８０％程度となるようにすることが好ましい。
【００３５】
この栽培ハウス１によれば、複数の太陽光パネル２及び閉鎖部材３によって太陽光が栽培空間６内に入射することを防止しつつ栽培空間６内に日陰を作り出すことができる。仮に太陽光パネル２及び閉鎖部材３の遮光率が屋根体４全体で１００％であったとしても、栽培空間６には、透光性のある外壁体８を通して太陽光の一部が入射するので、例えば、暗所栽培植物Ｐ２の生育に必要となる低量の光は確保できる。
【００３６】
また、栽培ハウス１は、給電装置９の給電により点灯可能であって栽培空間６内に設けられる照明装置１５と、その照明装置１５の下方に設けられ植物Ｐ１を収容する栽培容器１６と、その栽培容器１６を設置地面Ｇから所定高さ上方であって作業者が当該栽培容器１６に対して直立姿勢で作業可能な高さに支持する容器支持体１７とを備えている。
【００３７】
この栽培ハウス１によれば、栽培空間６には、植物Ｐ１を収容した栽培容器１６があり、この栽培容器１６が容器支持体１７によって、設置地面Ｇから所定高さ上方に支持されており、この高さが作業者が直立姿勢で栽培容器１６に対して作業可能なものとなっている。このため、作業者は、自らの身体を屈めるなど無理な体勢をとらず、直立姿勢で栽培容器１６に収容された植物Ｐ１の栽培作業を行える。
【００３８】
そのうえ、栽培容器１６の上方には照明装置１５が設けられ、その照明装置１５が給電装置９からの給電により点灯されるので、例えば、日中の栽培空間６内への外光の入射量が少ない場合でも、栽培容器１６に収容された植物Ｐ１に対してその栽培に必要な光量を照射できる。
【００３９】
また、栽培ハウス１は、給電装置９が太陽光パネル２による発電電力を蓄電する二次電池１８を備えており、その二次電池１８に蓄電された電力を植物栽培に利用する設備に給電可能である。
【００４０】
この栽培ハウス１によれば、給電装置９は、太陽光パネル２により発電された電気を植物栽培に利用する設備に供給することができるが、太陽光パネル２により発電された電気を二次電池１８に一旦蓄電したうえで、その二次電池１８から電力を植物栽培に利用する設備に供給することもできる。したがって、太陽光のない夜間や、日照量が少なく発電量が不足する場合などには、二次電池１８を用いた給電によって、植物栽培に利用する設備を稼働することができる。
【００４１】
例えば、給電装置９は、その太陽光パネル２により発電された電力を給電することによって、給気ファン１０ａおよび排気ファン１１ａを稼働して温度調節をすることもでき、照明装置１５を点灯して栽培容器１６に収容された植物Ｐ１に照射することで植物Ｐ１の促成栽培を行える。また、太陽光パネル２の発電量が少なく電力不足のときは、日中でも二次電池１８に蓄電された電力を用いて給気ファン１０ａ、排気ファン１１ａ及び照明装置１５を稼働できるが、これら設備への給電を二次電池１８を用いて行うことができる。
【００４２】
なお、給電装置９は、太陽光パネル２により発電された電力を、送電線を通じて売電することもできる。
【００４３】
また、栽培ハウス１は、遮光性のある複数の太陽光パネル２及び閉鎖部材３を有する屋根体４と、遮光性のある栽培容器１６と、その栽培容器１６と設置地面Ｇとの間に設けられその栽培容器１６によって上方からの光が遮られた暗所空間２９とを備えている。
【００４４】
この栽培ハウス１によれば、複数の太陽光パネル２及び閉鎖部材３が遮光性を有するので、太陽光が栽培空間６内に入射することを防止しつつ栽培空間６内に日陰を作り出すことができる。
【００４５】
ただし、仮に太陽光パネル２及び閉鎖部材３の遮光率が屋根体４全体で１００％であっても、栽培空間６には、外壁体８を透過する太陽光の一部が入射可能となっているので、暗所栽培植物Ｐ２の生育に必要な低量の光を確保できる。例えば、屋根体４により形成された日陰で太陽光などの外部光量が低減していても、栽培空間６には、外壁体８を介して遮光率８０％程度となる外部光が入射するようになっている。
【００４６】
そのうえ、栽培空間６内でその生育に十分な光量が必要となる植物Ｐ１を栽培する場合は、不足する光を照明装置１５によって栽培容器１６内で栽培される植物Ｐ１に供給できる。また、その一方で、榊などの暗所栽培植物Ｐ２を同時に栽培するような場合は、照明装置１５の光が却って暗所栽培邪魔となるが、遮光性のある栽培容器１６によってその下方にある暗所空間２９への光の入射が遮られるので、暗所空間２９での暗所栽培植物Ｐ２の生育環境を確保できる。
【００４７】
また、栽培ハウス１は、給気装置１０が栽培空間６の内外を連通させる開放状態とその栽培空間６の内外を隔絶する閉鎖状態とを切替可能な下部換気口１９を備えており、排気装置１１が栽培空間６の内外を連通させる開放状態とその栽培空間６の内外を隔絶する閉鎖状態とを切替可能な上部換気口２０を備えている。
【００４８】
さらに、下部換気口１９及び上部換気口２０は、そこから栽培空間６内への害虫の侵入を防止するため、それらの空気が通る開口部分全体が防虫用ネットで覆われていることが好ましい。また、この下部換気口１９と上部換気口２０の開閉は、手動により行っても良く、手動でオンオフ可能な電動モータ及び伝達機構を用いて電動駆動装置（図示せず。以下同じ。植物栽培に利用する設備）により行っても良く、又は、電動モータ及び伝達機構を用いた電動駆動装置を制御装置１４により気温に基づいて制御して開閉させても良い。
【００４９】
例えば、栽培ハウス１によれば、給気ファン１０ａ及び排気ファン１１ａを使用するほどでない状態、例えば、栽培空間６内の検出気温Ｔｓが設定気温Ｔｒに比べて高いがその温度差ΔＴが第１温度差ΔＴ１未満の状態などでは、給気ファン１０ａ及び排気ファン１１ａの全てを駆動させず、制御装置１４によって、上記電動駆動装置を駆動させて上部換気口２０及び下部換気口１９を開放することで、栽培空間６内に外気を導入することで、栽培空間６内の換気を行って気温上昇を抑制しても良い。
【００５０】
また逆に、これら上部換気口２０及び下部換気口１９を閉鎖することで、例えば、上部換気口２０及び下部換気口１９から栽培空間６内へ外部の冷気が流入することも防止できる。例えば、栽培空間内の検出気温Ｔｓが設定気温Ｔｒを下回り、その温度差ΔＴが第３温度差Ｔ３（但し、Ｔ３＜Ｔ１＜Ｔ２）となった場合に、制御装置１４によって、上記電動駆動装置を駆動させて下部換気口１９及び上部換気口２０を閉鎖するようにしても良い。
【００５１】
また、栽培ハウス１は、給気装置１０が１又は２以上の給気ファン１０ａを配置してユニット化した給気ファンユニット２１を備えており、排気装置１１が１又は２以上の排気ファン１１ａを配置してユニット化した排気ファンユニット２２を備えている。
【００５２】
この栽培ハウス１によれば、例えば、給気ファンユニット２１又は排気ファンユニット２２は１若しくは２以上の給気ファン１０ａ又は排気ファン１１ａがユニット化されたものであるので、ユニット毎に取り外して修理又は交換ができる。なお、図中では、各給気ユニットファン２１及び各排気ユニットファン２２は、それぞれ給気ファン１０ａ及び排気ファン１１ａがそれぞれ３つずつ配置されている。
【００５３】
また、栽培ハウス１は、給気装置１０は、１又は２以上の給気ファン１０ａと１又は２以上の下部換気口１９とが交互に配置されており、排気装置１１は、１又は２以上の排気ファン１１ａと１又は２以上の上部換気口２０とが交互に配置されている。
【００５４】
なお、１又は２以上の給気ファン１０ａをユニット化した給気ファンユニット２１と１又は２以上の下部換気口１９をユニット化した下部換気ユニット２３とを交互に配置し、１又は２以上の排気ファン１１ａをユニット化した排気ファンユニット２２と１又は２以上の上部換気口２０をユニット化した上部換気ユニット２４とを交互に配置するようにしても良い。
【００５５】
また、栽培ハウス１は、その外壁体８が、透光性及び可撓性を有したシート状に形成される外壁シート体２５と、その外壁シート体２５の上端部に接続され、当該外壁シート体２５を屋根体４から吊り下げた状態で保持する上部保持体２６と、外壁シート体２５の下端部に接続され当該外壁シート体２５の下端部を設置地面Ｇ近傍で保持する下部保持体２７と、その下部保持体２７及び上部保持体２６と外壁シート体２５とを分離可能に接続するファスナー２８とを備えている。
【００５６】
この栽培ハウス１によれば、外壁シート体２５は可撓性を有したシート状なので、その修理交換時に取り扱いが容易である。また、上部保持体２６と下部保持体２７との接続はファスナー２８を介して行われるので、その修理交換時の取り付けや取り外し付け作業が容易である。
【００５７】
また、栽培ハウス１は、下部保持体２７が、設置地面Ｇに立ち姿勢で設けられ外壁シート体２５が接続される立設部２７ａと、その立設部２７ａの下端部から横向きに延出され当該立設部２７ａを設置地面Ｇ上で支える基礎部２７ｂと、その基礎部２７ｂの上面に形成され物を載荷可能な載荷面２７ｃとを備えている。
【００５８】
なお、下部保持体２７は、その立設部２７ａが基礎部２７ｂに対して直角を成した状態で、その立設部２７ａと基礎部２７ｂとが断面視逆Ｔ字形又はＬ字形に接合したものであっても良い。
【００５９】
この栽培ハウス１によれば、下部保持体２７は、その基礎部２７ｂを設置地面Ｇに載せることで立設部２７ａを立ち姿勢にでき、載荷面２７ｃに重しとなる物を載荷することで定位置に固定でき、その施工作業が簡便である。例えば、基礎部２７ｂを設置地面Ｇに置いて載荷面２７ｃに設置場所にある土砂や石を載荷したり、基礎部２７ｂを設置地面Ｇの地中に埋設して載荷面２７ｃに掘り起こした土砂を載荷するように埋め戻したりすることもできる。
【００６０】
また、栽培ハウス１は、閉鎖部材３が太陽光パネル２の受光面２ａから凹んだ溝部３ａを有し、閉鎖部材３がその溝部３ａに太陽光パネル２の表面から流れ落ちる雨水や融雪水等の水を屋根体４の傾斜方向下端部へ流下させる樋部材である。
【００６１】
よって、この栽培ハウス１によれば、閉鎖部材３は、雨水や融雪水等の水が流れる溝部３ａを有した樋部材であるので、この樋部材を介して屋根体４にある水を排水できる。
【符号の説明】
【００６２】
１            栽培ハウス
２            太陽光パネル
３            閉塞部材
４            屋根体
Ｇ            設置地面
５            フレーム体
６            栽培空間
７            フレーム体の開口部
８            外壁体
９            給電装置
１０ａ        給気ファン（植物栽培に利用する設備）
１１ａ        排気ファン（植物栽培に利用する設備）
１２          温度設定器（植物栽培に利用する設備）
１３          温度センサ（植物栽培に利用する設備）
１４          制御装置（植物栽培に利用する設備）
１５          照明装置（植物栽培に利用する設備）
１８          二次電池（給電装置の一部）
２９          暗所栽培空間（栽培空間の一部）
Ｐ１，Ｐ２    植物
【図１】
2020096565.tif 000003
【図２】
2020096565.tif 000004
【図３】
2020096565.tif 000005
【図４】
2020096565.tif 000006
【図５】
2020096565.tif 000007